(57)【要約】      （修正有）【課題】水洗トイレのロータンクなどに取り付けるボールタップであって、上水と中水を併用して利用可能であり、上水の衛生的かつ中水の効率的な供給を可能にする２水路ボールタップを提供する。【解決手段】２水路ボールタップは中水ラインと上水ラインを備え、中水第１弁３と上水第１弁４は１個のフロート５を共有し、中水第１弁３と上水第１弁４の開閉は同時に行われる。通常ピストン６はばね７の反発により中水第１弁３寄りに位置し、上水第２弁４は開の状態となっている。フロート５が下がり、中水上水同時に供給されるとピストン６は水圧により中水吐出口１３まで押し出され放出され、上水第２弁８は閉となり上水は止水される。中水が無くなるとピストン６はばね７の反発により中水第１弁３寄りに戻され、上水第２弁４は開となり上水は上水吐出口１４から放出される。規定量まで水位が上がるとフロートは上がり止水され給水は完了するようにした。【選択図】図１
2007255074.tif 000002
【特許請求の範囲】
【請求項１】
本発明は、水洗トイレのロータンクや中水利用可能なタンクへ、上水と中水を併用して供給可能でかつ中水を優先して供給するためのボールタップに関する。
中水ラインは、中水接続口、中水第１弁、ばねを備えたピストン、中水吐出口を備え、上水ラインは、上水接続口，上水第１弁と、前記ピストンの移動により開閉する上水第２弁、上水吐出口を備えている、前記ピストンと上水第２弁は連動して働く
前記中水第１弁と上水第１弁は、左右対称に配置され、１個のフロートを共有しており中水第１弁と上水第１弁の開閉は同時に行われる
通常ピストンは、ばねの反発により中水第１弁寄りに位置し、上水第２弁は開の状態となっている、
フロートが下がり、中水上水同時に供給されると、中水ラインのピストンは水圧により中水吐出口まで押し出され、中水は中水吐出口から放出される、その時上水第２弁は閉となり、上水は止水される、
さらに中水が無くなると、ピストンはばねの反発によって中水第１弁寄りに戻され、上水第２弁は開となり上水は上水吐出口から放出される、どちらから供給されても、やがて規定量まで水位が上がるとフロートは上がり止水され給水は完了する
中水を優先して供給し、中水が無くなると自動的に上水供給に切り替わることを、特徴とする２水路ボールタップ
【発明の詳細な説明】
【技術分野】
【０００１】
水洗トイレのロータンクや中水利用可能なタンクへ、上水と中水を併用して供給可能でかつ中水を優先して供給するためのボールタップに関する。  
【背景技術】
【０００２】
現在、日本国中水不足は深刻で季節を問わず渇水状態が発生しており、上水確保のために、大都市や水不足地域では中水道の施設が進められたり、新規ダム建設や、海水淡水化装置の建設が進められています。又、雨水やお風呂の残り湯など生活排水を洗濯機や水洗トイレ、散水などに再利用するシステムが開発されています。
【０００３】
現在、市販されている水洗トイレの場合、ロータンクにとりつけられたボールタップでは、上水か中水のどちらかの１つの水しか流せないため、中水を利用したとき、衛生上、洗浄便座の洗浄水や手洗い水には、利用できないため、汚物の洗浄水のみの利用しかできず、手洗い付便器や洗浄便座機能内蔵型の便器には使用できなかった。
【０００４】
例えば、特許文献１参照の場合、２個のボールタップを並べると、ロータンク内で場所を取りすぎる。又、外付けの切り替えレバー取手５１は手動式で手間がかかる、さらに現在発売されているロータンク付トイレのほとんどのタイプにおいて、美的観点から、給水接続口は、ロータンクの下にあるために設置において問題がある。
【０００５】
例えば、特許文献２参照のように、残り湯の供給をボールタップを用いず、配管から直接供給した場合、供給された水量は、フロートセンサーＦ−１で感知され、そのセンサー信号が制御装置Ｃ−１に送られ、制御装置Ｃ−１の制御により、残り湯の給水と止水を、ポンプＰ−１の運転と停止で行い、上水の給水と止水を、電磁弁Ｅ−２の開閉で行っている、この場合、現在発売されているロータンク付トイレのほとんどのタイプに取り付け可能であり、美的観点も良いが、設備が複雑で費用も掛かると言う問題があった。
【特許文献１】特開２００１−１５２５０９号公報
【特許文献２】特願２００４−２６５０５３号公報
【発明の開示】
【発明が解決しようとする課題】
【０００６】
発明が解決しようとする課題は、水洗トイレのロータンクなどに取り付けるボールタップであって、上水と中水を併用して利用可能であり、上水の衛生的かつ中水の効率的な供給を可能にする、２水路ボールタップを提供することにある。
【課題を解決するための手段】
【０００７】
中水ラインは、中水接続口、中水第１弁、ばねを備えたピストン、中水吐出口を備え、上水ラインは、上水接続口，上水第１弁と、前記ピストンの移動により開閉する上水第２弁、上水吐出口を備えている、前記ピストンと上水第２弁は連動して働く
前記中水第１弁と上水第１弁は、左右対称に配置され、１個のフロートを共有しており中水第１弁と上水第１弁の開閉は同時に行われる
通常ピストンは、ばねの反発により中水第１弁寄りに位置し、上水第２弁は開の状態となっている、
フロートが下がり、中水上水時同に供給されると、中水ラインのピストンは水圧により中水吐出口まで押し出され、中水は中水吐出口から放出される、その時上水第２弁は閉となり、上水は止水される、
さらに中水が無くなると、ピストンはばねの反発によって中水第１弁寄りに戻され、上水第２弁は開となり上水は上水吐出口から放出される、どちらから供給されても、やがて規定量まで水位が上がるとフロートは上がり止水され給水は完了する
中水を優先して供給し、中水が無くなると自動的に上水供給に切り替わることを、特徴とするものである。
【発明の効果】
【０００８】
本発明において、上水ラインの上水第１の弁と上水第２の弁の途中に、手洗い用水やオーバーフローなどを接続可能な接続口を設けることにより、近年、市販されている、手洗い付や洗浄便座内蔵型などのトイレに取り付け可能となり、そのトイレは上水の衛生的な利用と、中水や残り湯の経済的な再利用が可能なトイレとなる。
【０００９】
上水道とお風呂の残り湯をポンプ供給して利用すると、
手洗い用水、オーバーフロー用水は上水が供給され、汚物の洗浄水は残り湯を優先して供給し、残り湯が無くなると自動的に上水供給に切り替えることができる。
又、残り湯を再利用すると、月間４トン前後の上水道の節水が可能である。
【００１０】
また、上水道と中水道を利用すると      
洗浄便座の洗浄水や、手洗い用水、オーバーフロー用水は上水のみを利用し、汚物の洗浄水は中水のみ利用するとができる。
【００１１】
なお、上水第１弁、第２弁及び中水第１弁はダイヤフラム式弁でも良い。
【発明を実施するための最良の形態】
【００１２】
以下、図面に示す実施指令に基つき本発明の実施の形態を説明する。
【実施例】
【００１３】
図１は本発明に係る２水路ボールタップの実施例を示す外観図と断面図である。
中水ラインは、中水接続口１、中水第１弁３、ばね７を備えたピストン６、中水吐出口１３を備え、上水ラインは、上水接続口２，上水第１弁４と、前記ピストンにより開閉する上水第２弁８、上水吐出口１４を備えている、
前期中水第１弁３と上水第１弁４は、左右対称に配置され、１個のフロート５を共有しており中水第１弁３と上水第１弁４の開閉は同時に行われる
また、中水ラインのピストン６の末端１１と、上水第２弁８を開閉するための弁棒の末端１２は、支持部材９により連結されている、前記支持部材９は、上水第２弁８の弁棒近傍に支点１２を有し、ピストン側１１を作用点、弁棒側１０を力点とする梃子として働く、通常ピストン６は、ばね７の反発により中水第１弁寄りに位置し、上水第２弁８は開の状態となっている、
フロート５が下がると、中水第1の弁３と、上水第1の弁４は、同時に開となり中水上水共に供給される、その時中水ラインのピストン６は水圧により中水吐出口１３まで押し出され、中水は中水吐出口１３から放出される、その時支持部材９の梃子の働きで、上水第２の弁８は閉となり、上水は止水される、また中水が無くなると、ピストン６は、ばね７の反発によって中水第１弁３寄りに戻され、上水第２弁８は開となり上水は上水吐出口１４から放出される、どちらから供給されても、やがて規定量まで水位が上がるとフロート５は上がり止水され給水は完了する
【００１４】
図２は２水路ボールタップの機能詳細の断面図である。
（A）は、待ち受け状態時中水第１弁、上水第１弁共に閉、ヒストン閉、上水第２弁開の状態の図であり、中水上水共に止水されている状態
（B）は、フロートが下がり、かつ中水、上水共に供給可能である時、中水第１弁、上水第１弁共に開、ヒストン開、上水第２弁閉の状態の図であり、中水のみ供給される状態
（C）はフロートが下がり、かつ中水が無くなり、上水のみ供給可能である時、中水第１弁、上水第１弁共に開、ヒストン閉、上水第２弁開の状態の図であり、上水のみ供給される状態、を示している。
【００１５】
図５は、移動するピストンによって上水第２弁を開閉する方法の２実施例である。
（A）は、指示部材を用いず直接的に上水第２弁の弁棒を移動させる実施例である。
（B）は、永久磁石の吸引力を利用して上水第２弁を開閉する実施例である。
【００１６】
図３は、2水路ボールタップを取り付けたトイレの概略断面図である。
【００１７】
図４は、お風呂の残り湯をポンプユニットを利用して、2水路ボールタップ付トイレに供給したときのシステム系統図である。
【００１８】
図４で示すように、お風呂３１の残り湯は中水として、吸い込み口３２から、中水配管３３により、空気調整器３５、ポンプユニット３８を経由して、水洗トイレ４４へ送られる。中水配管３３と上水配管３４は、水洗トイレ４４のロータンクに設置された２水路ボールタップ４３の中水接続口１と上水接続口２に接続されている。
空気調整器３５は残湯センサーと複合型空気調整弁を内蔵したものであり、ポンプユニット３８は、圧力タンクを内蔵したものであり、残り湯がある限り加圧供給する。
ロータンク内の水位が定量で、2水路ボールタップ４３が閉の時、中水配管３３内は加圧状態で保たれている、トイレ使用後ロータンク内の水位が下がり、2水路ボールタップ４３のフロート５が下がると、中水配管３３の内圧は下がり、ポンプ３９が起動し残り湯は供給される、同時に上水も供給される。
このとき、２水路ボールタップ４３の働きで、手洗い水やオーバーフロー水には、衛生的な上水が供給され、ロータンク内には、残り湯が優先的に供給され、フロート５が上がると、上水  残り湯、共に止水される。
残り湯供給中に、残り湯がな無くなり、空気調整器３５内に空気が吸い込まれると、ポンプ３９は停止し残り湯の供給は停止する、その結果中水配管３３の水圧は無くなり、２水路ボールタップのピストン６はばね７の働きによりもどされて、上水供給に切り替わり定量で止水される。
【産業上の利用可能性】
【００１９】
本発明はロータンク付トイレや中水利用可能なタンクまたは薬注機など、２種類の液体を供給し、かつ片方を優先して供給する場合に利用可能である。  
【図面の簡単な説明】
【００２０】
【図１】本発明に係る２水路ボールタップの実施例を示す外観図である。
【図２】手洗い付洗浄便座トイレに２水路ボールタップを取り付けたときの、概略断面図である。
【図３】2水路ボールタップを取り付けたトイレの概略断面図である。
【図４】お風呂の残り湯を空気調整器とポンプユニットを利用して、２水路ボールタップ付トイレに供給したときのシステム系統図である。
【図５】移動するピストンによって上水第２弁を開閉する方法の２実施例である。
【図６】背景技術参考文献
【符号の説明】
【００２１】
１    中水接続口
２    上水接続口
３    中水第１弁  
４    上水第１弁  
５    フロート
６    ピストン
７    ばね
８    上水第２弁
９    支持部材
１０  支点
１１  作用点―ピストン末端
１２  力点―上水第２弁弁棒末端
１３  中水吐出口
１４  上水吐出口
２０  永久磁石
２１  弁棒ガイドカバー  
２２  ばね  ピストン用
２３  ばね  弁棒用
２４  Oリング    
３１  浴槽
３２  吸い込み口
３３  中水配管
３４  上水配管
３５  空気調整器
３６  残湯センサー
３７  複合型空気調整弁
３８  ポンプユニット
３９  ポンプ
４０  制御装置
４１  圧力センサー
４２  圧力タンク
４３  ２水路ボールタップ      
４４  手洗い付水洗トイレ
５１  切り替えレバー取手  
５２  上水接続管
５３  中水接続管
５４  上水管ボールバルブ
５５  中水管ボールバルブ
５６  上水用ボールタップ
５７  中水用ボールタップ
５８  ロータンク
５９  浴槽
６０  ラインポンプユニット
Ｃ−１  制御装置
Ｅ−１  電磁弁−常閉型
Ｅ−２  電磁弁−常開型
Ｆ−１  フロートセンサー１
Ｆ−２  フロートセンサー２
Ｐ−１  ポンプ  
【図１】
2007255074.tif 000003
【図２】
2007255074.tif 000004
【図３】
2007255074.tif 000005
【図４】
2007255074.tif 000006
【図５】
2007255074.tif 000007
【図６】
2007255074.tif 000008